(57)【要約】【課題】ビンディングなどの関連付けられる構成要素を板に固定するために使用される、板の上の取付ポイントに隣接した表示器を使用して滑走板の特徴を表示するための装置を提供する。【解決手段】表示器は、板のタイプ（初心者用、熟練者用など）、板に使用される構成要素（たとえば使用されるコア材料）、板の供給業者、乗り手のスタンス位置または他の特徴を表示できる。表示器は、板本体に埋込まれるねじ切りされたインサートの穴または溝のスロットなどの取付ポイントの開口に隣接して位置し得る。【選択図】  図１
0003141237.tif 000002
【実用新案登録請求の範囲】
【請求項１】
滑走板であって、
表面上を滑る際に乗り手を支持するように構築および配置された板本体を備え、前記板本体は上部、底部、対向する側面エッジ、先端および尾部を有し、前記滑走板はさらに、
前記板本体に固定された取付ポイントを備え、前記取付ポイントは、関連付けられる構成要素を板に装着するために留め具と係合するように構築および配置された開口を有し、前記滑走板はさらに、
前記取付ポイントの前記開口に隣接する表示器を備え、前記表示器は、板のタイプ、板に使用される板の構成要素、スタンス位置または板の供給業者を含む前記滑走板の特徴に関する情報を表わす、滑走板。
【請求項２】
前記取付ポイントは、前記板本体内に据付けられ、かつ、ねじ切りされたインサートと留め具を係合させるために前記板本体の上部からアクセス可能な開口を有する前記ねじ切りされたインサートを含む、請求項１に記載の滑走板。
【請求項３】
前記表示器は、前記ねじ切りされたインサートの前記開口の周りに環状のマーキングを含む、請求項２に記載の滑走板。
【請求項４】
前記環状のマーキングは、前記ねじ切りされたインサートの開口の周りに、前記板本体に形成されたカウンタボア内に据付けられるリングを含む、請求項３に記載の滑走板。
【請求項５】
前記リングは前記板本体の上部の上に延在する、請求項４に記載の滑走板。
【請求項６】
前記リングの厚さは、前記リングの内径近くの厚さと比較して、前記リングの外径近くでより大きい、請求項４に記載の滑走板。
【請求項７】
前記取付ポイントは、前記板に据付けられ、かつ、ビンディングを溝部材に係合させるために前記板の上部からアクセス可能なスロットを有する前記溝部材を含む、請求項１に記載の滑走板。
【請求項８】
前記表示器は、前記板本体の上部において前記スロットの端縁に沿って延在するマーキングを含む、請求項７に記載の滑走板。
【請求項９】
前記表示器は、前記スロットに沿って延在し、部分的に前記スロットの中に延在する材料のストリップを含む、請求項８に記載の滑走板。
【請求項１０】
前記表示器は、介在要素が前記表示器と前記取付ポイントとの間に位置しないように前記取付ポイントに直接隣接している、請求項１から９のいずれかに記載の滑走板。
【請求項１１】
前記表示器は、前記滑走板の特徴の表示を与えるために色付きの部分を含む、請求項１から１０のいずれかに記載の滑走板。
【請求項１２】
前記関連付けられる構成要素はフットビンディングであり、前記板本体はスノーボードを定義する、請求項１から１１のいずれかに記載の滑走板。
【請求項１３】
前記特徴は板のタイプまたは板の供給業者である、請求項１から１２のいずれかに記載の滑走板。
【請求項１４】
前記特徴は、板に使用される板の構成要素またはスタンス位置である、請求項１から１
２のいずれかに記載の滑走板。
【考案の詳細な説明】
【技術分野】
【０００１】
考案の背景
１．考案の分野
この考案は、スノーボード、スキー、ニーボード、カイトボード、ウインドサーフィンボード、サーフボード、ウェイクボードまたは他の滑り機器などの滑り板に関する特徴を表示することに関する。
【背景技術】
【０００２】
２．関連技術
スノーボードなどの滑り板は一般に、板を外側から観察したときには必ずしも明らかでないさまざまな特徴を有するように作られる。たとえば、初心者の乗り手が使用するために設計されるスノーボードがある一方で、熟練者用に作られるスノーボードもある。ハーフパイプまたはトリックパークなどにおいてトリックを行なうために作られ得る板がある一方で、スピードを出すレース用に作られ得る板もある。特定のタイプのコア材料などの内部構成要素を含み得る板がある一方で、異なるコアを有し得る板もある。
【０００３】
多くの場合、板自体を単純に参照することによって板の具体的な特徴を判断することは困難または不可能であり得る。板の詳細を判断するために、仕様書または他の情報源（たとえば店員、レンタルエージェントなど）をしばしば頼らなければならない。
【考案の開示】
【課題を解決するための手段】
【０００４】
考案の概要
この考案の局面は、マーキングまたは板に関連付けられる他の要素によって、スノーボードなどの滑り板に関する特徴の１つ以上の表示を与えることに関する。表示される特徴は、板のタイプ（たとえば初心者用、中級者用、熟練者用、レンタル用、アルペン競技用、フリースタイル用、フリーライド用、子供用、女性用など）、板に使用される板の構成要素（たとえばコア材料またはタイプ、ベース材料またはタイプ、使用される補強材料など）、スタンス位置（たとえば、第１の色が第１のスタンス幅を表示し得て、第２の色が第２のスタンス幅を表示し得る、などであり、または第１の色が通常のライディング用のスタンス位置を表示し得るのに対して、第２の色がパウダーライディング用のスタンス位置を表示し得る、などである）、板の供給業者または製造業者などを含み得る。
【０００５】
この考案の一局面では、板の特徴は、板の上の任意の好適な場所に、たとえば板の上の接続ポイントに隣接して位置する表示器によって表示され得る。たとえば、一実施例では、ビンディング用の装着ねじを受けるためにスノーボードに開いたねじ切りされた挿入穴を、リング状の表示器が取囲んでいてもよい。表示器は、色が付いていてもよく、印刷されたテキストまたは他の情報を含んでもよく、指定された形状を有していてもよく、またはそうでなければ、表示されるべき特徴に関する情報を伝えてもよい。一実施例では、表示器は、板の上部シートに形成されたカウンタボア内にセットされる環状のリングを含み得る。このリングは、リングの穴が対応するインサートのねじ切りされた穴と整列するように位置決めされ得る。したがって、このリングによって、リングの開口を通して留め具を挿入しかつねじ切りされたインサートと係合させることによって、ユーザは、通常と同様に、ねじ切りされたインサートを留め具と係合させることが可能であり得る。
【０００６】
別の例示的な実施例では、表示器は、ビンディングを装着するために板に形成された溝の一方の側または両側に位置し得る。たとえば、溝はスロットに沿って延在する色付きの
、またはそうでなければ印の付いた材料のストリップを溝のスロットに隣接して有していてもよい。上の例と同様に、表示器は板に関する所望の情報を伝達するために１つ以上の色、テキストマーキングなどを有し得る。また、表示器は単一のマーキングタイプを含む必要があるだけでなく、１つ以上のマーキングを含んでもよい。たとえば、表示器上の第１の色は第１のスタンス位置を表示し得る一方で、表示器上の第２の色は第２のスタンス位置を表示し得る。
【０００７】
別の例示的な実施例では、滑走板は、表面上を滑る際に乗り手を支持するように構築および配置された板本体を含む。板本体は、上部、底部、対向する側面エッジ、先端および尾部を有することができ、取付ポイントは板本体に固定され得る。取付ポイントは、フットビンディングなどの関連付けられる構成要素を板に装着するために留め具と係合するように構築および配置された開口を有し得る。表示器は、取付ポイントの開口に隣接して固定されることができ、板のタイプ、スタンス位置、板に使用される板の構成要素または板の供給業者などの滑走板の特徴に関する情報を表わすことができる。
【０００８】
別の実施例では、滑走板は、表面上を滑る際に乗り手を支持するように構築および配置された板本体を含む。板本体は、上部、底部、対向する側面エッジ、先端および尾部を有することができ、取付ポイントは板本体に固定され得る。取付ポイントは、フットビンディングなどの関連付けられる構成要素を板に装着するために留め具と係合するように構築および配置された開口を有し得る。表示器は、取付ポイントの開口に隣接して固定されることができ、滑走板の特徴に関する情報を表わすために色付きの部分を含み得る。
【０００９】
別の実施例では、スノーボードは、表面上を滑る際に乗り手を支持するように構築および配置された板本体を含む。板本体は、上部、底部、対向する側面エッジ、先端および尾部を有することができ、ねじ切りされたインサートは板本体内に据付けられることができる。ねじ切りされたインサートは、フットビンディングなどの関連付けられる構成要素を板に装着するために留め具と係合するように構築および配置された開口を有し得る。表示器は、板の上部に見られる取付ポイントの開口に隣接して固定されることができ、スノーボードの特徴に関する情報を表わすことができる。
【００１０】
この考案のこれらのおよび他の局面は、以下の詳細な説明および特許請求の範囲から認識されることになる。
【００１１】
この考案の局面について以下の図面を参照して本明細書において説明し、図面中では同様の数字は同様の要素を参照する。
【考案を実施するための最良の形態】
【００１２】
詳細な説明
この考案の局面について例示的な実施例を参照して本明細書において説明するが、この考案は例示的な実施例に限定されないことが理解されるべきである。たとえば、この考案の局面についてスノーボードおよび関連付けられる機器を参照して説明するが、この考案はそのように限定されない。代わりに、この考案の局面は、スキー、ニーボード、カイトボード、ウインドサーフィンボード、サーフボード、ウェイクボードまたは他の滑り機器などの他の滑走板とともに使用されてもよい。また、取付ポイントに隣接して位置する表示器を参照して以下に実施例を記載するが、この考案の他の局面では、表示器は板の上の任意の好適な場所に位置決めされてもよい。たとえば、スノーボードの色付きの側壁部分が、板のタイプ、板に使用される構成要素などを表示してもよい。所望の特徴の表示を与えるために、板のエッジまたは他の位置における色付きのマーキングまたは他の表示器が代替的に使用されてもよい。このように、この考案の局面は、取付ポイントに隣接した表示器を使用することに必ずしも限定されない。
【００１３】
図１は、この考案のさまざまな局面を組入れるスノーボード１を示す。この例示的な実施例では、スノーボード１は、上部２１、底部２２、先端２３、尾部２４および対向する側面エッジ２５を有する板本体２を含む。板本体２は、任意の好適な方法で構築されることができ、たとえば、当該技術分野において公知の任意の好適なコア材料、上部および底部補強層（たとえばガラス繊維／樹脂複合物など）、任意の好適なベースまたは底部材料、側面エッジ２５に沿って延在する金属エッジなどを含み得る。板本体２は、側壁構造、キャップ構造、側壁／キャップが混合した構造などを有し得る。要するに、板本体２は任意の好適な方法で形成され得る。
【００１４】
スノーボード１は、板本体２に固定される１つ以上の取付ポイント３を有し得る。この例示的な実施例では、取付ポイント３は、板本体２内に埋込まれ、かつ、たとえばねじ切りされた留め具をねじ切りされたインサートに係合させるために板本体２の上部２１からアクセス可能な開口３１を有するねじ切りされたインサートであってもよい。ねじ切りされたインサートは、フットビンディングを板本体２または他の関連付けられる構成要素に固定するために使用され得る。
【００１５】
この考案の一局面に従って、図２（図１のスノーボードの取付ポイント３の近接図）に示すように、表示器４は、少なくとも１つのねじ切りされたインサート用の開口３１に隣接して位置決めされ、板本体２の上部２１に見られる。この実施例では、表示器４は、環状の外観を有し、示すねじ切りされたインサートの各々に隣接して位置するが、他の方法で配置されてもよい。表示器４は、板のタイプ、たとえば初心者用、中級者用、熟練者用、レンタル用、アルペン競技用、フリースタイル用、フリーライド用、子供用、女性用などのスノーボード１の特徴を表示できる。たとえば、「青い」色が付いた１つ以上の表示器は、スノーボードがレンタルスノーボードであることを表示し得る。「赤色の」表示器は、スノーボードが子供が使用するのに好適であることを表わし得る、などである。したがって、単一の板の上に「赤色の」表示器と「青色の」表示器とが両方ある場合には、「子供用のレンタル」板を表示し得るであろう。表示器４は、表示器４によって表わされる板の特徴の判断を助けるために、テキスト表示、たとえば表示器４上に印刷された「レンタル」のテキストを含み得る。このように、表示器４は板の特徴を表示するために任意の好適な方法で配置され得る。表示器４の着色は、塗料、陽極酸化処理、電気めっきおよび／または表示器自体における材料の色によって行なわれることができる。（文字、数字、シンボルなどを含む）テキストは同様に印刷、鋳造、エッチングなどでなされ得る。
【００１６】
表示器は代替的には、コア（木、発泡体など）に使用される材料および／または構築技術、ベース材料またはタイプ（低融点金属または合金を含むベースなど）、使用される補強材料（ガラス繊維、炭素繊維など）などの、板に使用される板の構成要素を表示できる。これは、そうでなければ板の外側からは容易に明らかでない板の特徴を判断することを助け得る。
【００１７】
別の実施例では、１つ以上の表示器４は乗り手のためのスタンス位置を表わすことができる。たとえば、パウダーでのライディングの際に、通常の整備された雪の条件で板を使用するときと比較して、乗り手は先端よりも板の尾部の近くに位置することを望むであろう。このような場合、表示器４は、乗り手がライディングの条件に応じてビンディング装着用のインサートを容易に識別できるように、パウダーライディング用のスタンス位置および「通常の」ライディング用のスタンス位置を表わすことができる。別の例示的な実施例では、表示器４は板本体２上で異なるスタンス幅を表わすことができる。スノーボード１上で、乗り手は典型的に１つのフットビンディングを前部の方に取付け、別のビンディングを後部の方に装着する。表示器４は、ある特定の色の組合せが特定のスタンス幅を表示するように、色が付いていてもよく、またはそうでなければ印が付いていてもよい。た
とえば、図３に示すように、「赤色の」表示器４を使用して前部および後部ビンディングを装着すると、第１の距離のスタンス幅が結果として生じ得る。「緑色の」表示器４を使用してビンディングを装着すると、第１の距離よりも大きな第２の距離のスタンス幅が結果として生じ得る。「赤色の」取付ポイントおよび「緑色の」取付ポイントの組合せを使用してビンディングを装着することにより、第１の距離と第２の距離との間のスタンス幅がもたらされ得る。板の間の均一性のために、乗り手は、正しいスタンス幅を得るためにビンディングを装着する際に使用される取付ポイントについての色または色の組合せを覚えてさえいればよいであろう。
【００１８】
別の実施例では、表示器４は板の供給業者または製造業者を表わすことができる。再び、表示器４は所望の情報を与えるために１つ以上の色、テキストまたは他の特徴を含み得る。別の例示的な実施例では、表示器４は必ずしも円形ではない外形を有していてもよい。たとえば、表示器４は板の製造業者のロゴまたは他の図に見合うまたは概してそれに一致する形状を有していてもよい。図４は、板に開いたねじ切りされたインサートの開口３１に隣接する、バートンスノーボード（Burton Snowboards）を表わす定型化された「ｂ」の外形を表示器４が有し得る１つの例示的な実施例を示す。もちろん、表示器４についての他の形状を使用してもよいことが理解される。
【００１９】
図５〜図７は、例示的な実施例における表示器４の上面図、側面図および断面図をそれぞれに示す。この例における表示器４は、外径が約１１ｍｍであり、内径が約６ｍｍである全体的に環状の形状を有する。この実施例における要素４の厚さは均一ではない。すなわち、図７に見ることができるように、要素４は外径の近くではより厚く、次第に細くなって、内径の近くでは厚さが薄くなっている。外径の近くのこの厚さは約１ｍｍであり、内径の近くの厚さは約０．３ｍｍ以下である。この実施例における表示器４は、板の製造業者（「バートン（Burton）」）および板に使用される構成要素（「ドラゴンフライ（Dragonfly）」として公知のコアタイプ）を表わすためにテキストも含む。（図７では明確にする目的で図示しないが）図６に見ることができるように、この実施例におけるテキストは表示器４の本体の上に隆起している。
【００２０】
図８は、図５〜図７の表示器４が、スノーボードのねじ切りされたインサートとともに使用される実施例を示す。この断面図に見ることができるように、表示器４は、ねじ切りされたインサートの上の板本体２の上部２１に形成されたカウンタボア内にセットされる。カウンタボアはその外径で表示器４にぴったりとフィットする大きさに作られ、カウンタボアの深さは、表示器４の上部部分がたとえば約０．１ｍｍだけ板本体２の上部の上に延在するようにこの実施例では整えられる。もちろん、他の実施例では、表示器４は、板本体２の上部２１の下に位置決めされてもよく、または板の上部のさらに上に延在してもよい。表示器４は、要素４がカウンタボアと係合されるときに板本体２に粘着する接着剤、たとえば表示器４の下側に塗布される感圧性接着剤によってカウンタボアに固定されることができる。表示器４は、他の接着剤、ねじまたは他の留め具、締まり嵌め、ねじ切りされたインサートとの係合によってなど、他の方法で板本体２と係合されてもよい。一実施例では、表示器４は、所望であれば、ねじ切りされたインサートと一体的に作られてもよい。
【００２１】
図９は、板本体２内に据付けられた溝３２を含む取付ポイント３とともに使用される表示器４の別の例示的な実施例を示す。フットビンディングを板に固定するためのこのような溝は、当該技術分野において公知であり、典型的には板内に埋込まれかつ板本体２の上部２１上で露出されるスロットまたは他の開口３１を有する金属部材を含む。公知のように、Ｔ−ナットなどの留め具は、ビンディングを装着するために留め具または他の部材がスロット３１においてＴ―ナットと係合するように溝３２に係合され得る。この例示的な実施例では、表示器４は、スロット３１の少なくとも一方の側に沿って延在する色付きの
要素を含む。この実施例における表示器４は、スロット３１に隣接して板本体２の上部２１に形成された溝に埋込まれる材料のストリップを含む。表示器４の一部は、スロット３１の中に下方に延在してもよく、所望であれば、Ｔ―ナットまたは他のビンディング留め具のためにスロット３１の壁に摩耗表面を与えてもよい。表示器４は、たとえばスタンス位置情報を与えるときに、その長さに沿って単一の、濃淡のない色を有する場合もあれば、その長さに沿って２つ以上の異なった色が付いたセクションを有する場合もある。記載する他の実施例と同様に、表示器４は、所望の情報を伝達するためにテキストまたはグラフィック情報を含んでもよく、所望の形状を有していてもよい、などである。
【００２２】
上の実施例では、表示器４は固体金属、プラスチックまたは他の材料の本体を含むが、表示器は他の方法で形成されてもよい。たとえば、表示器４は、板の上部２１および／または取付ポイント３上に与えられる塗料または他のマーキングによって形成されてもよい。図２と同様の実施例では、表示器４は、板の上部２１および／またはねじ切りされたインサートの上部に塗料または他のマーキング材料を塗布することによって形成されてもよい。図２と同様の表示器４は、いくつかの実施例では一種の止め座金としても動作してもよく、ねじ切りされたインサートまたは他の取付ポイント３と留め具との係合を助ける。表示器４は、板本体２の上部２１上でのビンディングの適切な位置付けも助けることができる。たとえば、図２の表示器４は、板本体２の上部２１の上に延在し、ビンディングベースまたは押さえディスクにおける対応する凹部と係合でき、それによって上部２１の面でのビンディングまたは押さえディスクの直線的な動きを低減することを助ける。この例示的な実施例では、表示器４は、板の上部２１の上に突出する円筒形の形状、または円錐形、楕円形、三角形などの他の好適な形状を有していてもよい。対応して、ビンディングベースまたは押さえディスクは、円筒形ボア、円錐形凹部などの相補的な凹部を底部に有していてもよい。表示器４は板本体２上のグラフィックまたは他のビジュアル情報に組入れられてもよく、たとえば動物の目を形成してもよい。
【００２３】
別の実施例では、表示器４は、板が設計パラメータを超えてある程度衝撃を受けたまたは撓んだときなどに、損傷または過大応力表示を板に与えることができる。このような起こり得る損傷の場合に、表示器４は、板からはずれる、色を変化させる、またはそうでなければ外観を変えるなどの何らかの方法で変化し得る。たとえば、表示器４は、表示器４に対する応力が要素の色の変化を引起すように、応力感度のよい材料から作られてもよい。
【００２４】
このようにこの考案の少なくとも１つの実施例のいくつかの局面について記載してきたが、さまざまな変更、修正および改善が容易に当業者に想起されることが認識されるべきである。このような変更、修正および改善は、この開示の一部であるように意図され、この考案の精神および範囲内であるように意図される。したがって、先の説明および図面は一例に過ぎない。
【図面の簡単な説明】
【００２５】
【図１】この考案の局面に従うスノーボードの斜視図である。
【図２】図１の実施例におけるいくつかの取付ポイントおよび表示器の近接図である。
【図３】板の上のスタンス位置に関する情報を与えるために使用される表示器の概略図である。
【図４】表示器の１つの例示的な実施例の図である。
【図５】表示器の別の例示的な実施例の上面図である。
【図６】図５の表示器の側面図である。
【図７】図５の表示器の断面図である。
【図８】図５の表示器を含むスノーボードの断面図である。
【図９】スロットに隣接して表示器を備えるスロットタイプのビンディング装着構成を有する板の概略図である。
【符号の説明】
【００２６】
２  板本体
３  取付ポイント
２１  上部
２２  底部
２３  先端
２４  尾部
２５  側面エッジ
【図１】
0003141237.tif 000003
【図２】
0003141237.tif 000004
【図３】
0003141237.tif 000005
【図４】
0003141237.tif 000006
【図５】
0003141237.tif 000007
【図６】
0003141237.tif 000008
【図７】
0003141237.tif 000009
【図８】
0003141237.tif 000010
【図９】
0003141237.tif 000011
【手続補正書】
【提出日】平成19年11月16日(2007.11.16)
【手続補正１】
【補正対象書類名】図面
【補正対象項目名】全図
【補正方法】変更
【補正の内容】
【図１】
0003141237.tif 000012
【図２】
0003141237.tif 000013
【図３】
0003141237.tif 000014
【図４】
0003141237.tif 000015
【図５】
0003141237.tif 000016
【図６】
0003141237.tif 000017
【図７】
0003141237.tif 000018
【図８】
0003141237.tif 000019
【図９】
0003141237.tif 000020
【手続補正書】
【提出日】平成20年2月18日(2008.2.18)
【手続補正１】
【補正対象書類名】明細書
【補正対象項目名】００１９
【補正方法】変更
【補正の内容】
【００１９】
図５〜図７は、例示的な実施例における表示器４の上面図、側面図および断面図をそれぞれに示す。この例における表示器４は、外径が約１１ｍｍであり、内径が約６ｍｍである全体的に環状の形状を有する。この実施例における要素４の厚さは均一ではない。すなわち、図７に見ることができるように、要素４は外径の近くではより厚く、次第に細くなって、内径の近くでは厚さが薄くなっている。外径の近くのこの厚さは約１ｍｍであり、内径の近くの厚さは約０．３ｍｍ以下である。この実施例における表示器４は、板の製造業者および板に使用される構成要素として公知のコアタイプ）を表わすためにテキストも含む。（図７では明確にする目的で図示しないが）図６に見ることができるように、この実施例におけるテキストは表示器４の本体の上に隆起している。
【手続補正２】
【補正対象書類名】図面
【補正対象項目名】図５
【補正方法】変更
【補正の内容】
【図５】
0003141237.tif 000021